(57)【要約】【課題】屋内から排気される空気を有効利用することが可能な換気システムを提供する。【解決手段】建造物１００の屋内の空気を外部に排出するために設けられた換気扇１０と、換気扇１０の排気側１０ａと、建造物１００が有する屋外に対して開口している屋外開口部１０１と、建造物１００が有する屋内に対して開口している屋内開口部１０２とに連結された分岐構造１１ａを有するダクト１１と、分岐構造１１ａの屋内開口部１０２側に設けられ、換気扇１０から排出される空気の臭気を処理する臭気処理部１５とを備えるようにした。【選択図】図１
2015001333.tif 000002
【特許請求の範囲】
【請求項１】
建造物の屋内の空気を外部に排出するために設けられた換気扇と、
前記換気扇の排気側と、前記建造物が有する屋外に対して開口している屋外開口部と、前記建造物が有する屋内に対して開口している屋内開口部とに連結された分岐構造を有するダクトと、
前記分岐構造の前記屋内開口部側に設けられ、前記換気扇から排出される空気の臭気を処理する臭気処理部とを備えた換気システム。
【請求項２】
前記臭気処理部は、空気の脱臭処理を行う請求項１記載の換気システム。
【請求項３】
前記臭気処理部は、複数の備長炭のチップを備え、当該備長炭のチップで臭気を吸着することで、空気の脱臭処理を行う請求項２記載の換気システム。
【請求項４】
前記臭気処理部は、空気に香りを添加する加香処理を行う請求項１記載の換気システム。
【請求項５】
前記臭気処理部は、空気の消臭処理を行う請求項１記載の換気システム。
【請求項６】
前記分岐構造から前記屋内開口部を経て屋内に供給される空気の量が、屋内の空気を換気するために屋内からの排出が必要な空気の量に対する、前記換気扇から排出される空気の量の余剰分である請求項１から請求項５いずれか一項記載の換気システム。
【請求項７】
建造物の屋内の空気を外部に排出するために設けられた換気扇の排気側と連結された排気側ダクト部材と、前記建造物が有する屋外に対して開口している屋外開口部と連結された屋外側ダクト部材と、前記建造物が有する屋内に対して開口している屋内開口部とを連結する分岐構造を有するダクト部材である分岐部と、
前記分岐部の、前記屋内開口部側に設けられ、前記換気扇から排出される空気の臭気を処理する臭気処理部とを備えた換気ユニット。
【発明の詳細な説明】
【技術分野】
【０００１】
本発明は、屋内の換気を行うためのシステム等に関するものである。
【背景技術】
【０００２】
従来の換気システムとして、洗濯物の近傍の屋内湿度センサにより検出する屋内湿度と、屋外湿度検出手段により検出する屋外湿度及び快適湿度とする基準湿度に基づいて、引戸、折戸、シャッタのスラットの回動及び換気扇の作動を制御することにより、乾燥室に洗濯物が干された場合の選択物の乾燥を促進し、また、乾燥室及びリビングルームなどが基準湿度となるように通気を行うものが知られていた。（例えば、特許文献１参照）。
【先行技術文献】
【特許文献】
【０００３】
【特許文献１】特開２０１２−１８０９５３号公報（第１頁、第１図等）
【発明の概要】
【発明が解決しようとする課題】
【０００４】
従来の換気システムにおいては、換気扇が屋内から排気する空気の全てを屋外に排出していたため、屋内から排気する空気を有効利用できないという課題があった。例えば、従来においては、換気扇が単位時間等に屋内から排気する空気の量が、換気したい量を超えている場合、本来排出する予定のない屋内の空気、例えば、一旦換気された空気等も、屋外に排気されることとなり、屋内から無駄な空気の排気が行われてしまっていた。
【０００５】
本発明は、このような課題を解消するためになされたものであり、屋内から排気される空気を有効利用できる換気システム、及び換気ユニットを提供することを目的とする。
【課題を解決するための手段】
【０００６】
本発明の換気システムは、建造物の屋内の空気を外部に排出するために設けられた換気扇と、換気扇の排気側と、建造物が有する屋外に対して開口している屋外開口部と、建造物が有する屋内に対して開口している屋内開口部とに連結された分岐構造を有するダクトと、分岐構造の屋内開口部側に設けられ、換気扇から排出される空気の臭気を処理する臭気処理部とを備えた換気システムである。
【０００７】
かかる構成により、換気扇で排気された屋内の空気の一部を、臭いを処理して屋内に供給することにより、屋内から排気される空気を有効利用することができる。
【０００８】
また、本発明の換気システムは、前記換気システムにおいて、臭気処理部は、空気の脱臭処理を行う換気システムである。
【０００９】
かかる構成により、不快感のない空気を屋内に供給することができる。
【００１０】
また、本発明の換気システムは、前記換気システムにおいて、臭気処理部は、複数の備長炭のチップを備え、備長炭のチップで臭気を吸着することで、空気の脱臭処理を行う換気システムである。
【００１１】
かかる構成により、不快感のない空気を屋内に供給することができるとともに、脱臭に備長炭チップを利用することで、生体に対する安全性や安心感をユーザに与えることができる。
【００１２】
また、本発明の換気システムは、前記換気システムにおいて、臭気処理部は、空気に香りを添加する加香処理を行う換気システムである。
【００１３】
かかる構成により、不快感のない空気を屋内に供給することができる。
【００１４】
また、本発明の換気システムは、前記換気システムにおいて、臭気処理部は、空気の消臭処理を行う換気システムである。
【００１５】
かかる構成により、不快感のない空気を屋内に供給することができる。
【００１６】
また、本発明の換気システムは、前記換気システムにおいて、分岐構造から屋内開口部を経て屋内に供給される空気の量が、屋内の空気を換気するために屋内からの排出が必要な空気の量に対する、換気扇から排出される空気の量の余剰分である換気システムである。
【００１７】
かかる構成により、例えば、換気が必要な量の空気については換気を行うとともに、換気が不要な量の空気の量だけを、屋外に排気しないようにすることができ、屋内から排気される空気のうちの、適正な量の空気を有効利用することができる。
【００１８】
また、本発明の換気システムは、前記換気システムにおいて、建造物の屋内の空気を外部に排出するために設けられた換気扇の排気側と連結された排気側ダクト部材と、建造物が有する屋外に対して開口している屋外開口部と連結された屋外側ダクト部材と、建造物が有する屋内に対して開口している屋内開口部とを連結する分岐構造を有するダクト部材である分岐部と、分岐部の、屋内開口部側に設けられ、換気扇から排出される空気の臭気を処理する臭気処理部とを備えた換気ユニットである。
【００１９】
かかる構成により、換気に用いられるダクトに、換気ユニットを挿入することで、換気扇で排気された屋内の空気の一部を、臭いを処理して屋内に供給することによって屋内から排気される空気を有効利用することができる換気システムを容易に作製することができる。
【発明の効果】
【００２０】
本発明による換気システム等によれば、屋内から排気される空気を有効利用することができる。
【図面の簡単な説明】
【００２１】
【図１】本発明の実施の形態における換気システムの一例を示す図（図１（ａ））、主要部の構成を示す斜視図（図１（ｂ））、および断面図（図１（ｃ））を示す図
【図２】同換気システムの、臭気処理部の一例を示す一部切り欠き斜視図（図２（ａ））、備長炭チップの袋を示す図（図２（ｂ））、備長炭チップを示す図（図２（ｃ））を示す図、及び臭気処理部の他の例を示す一部切り欠き斜視図（図２（ｄ））
【図３】同換気システムの第一の変形例を示す断面図（図３（ａ））、及び第二の変形例を示す断面図（図３（ｂ））
【発明を実施するための形態】
【００２２】
以下、換気システム等の実施形態について図面を参照して説明する。なお、実施の形態において同じ符号を付した構成要素は同様の動作を行うので、再度の説明を省略する場合がある。
【００２３】
（実施の形態）
図１は、本実施の形態における換気システムを説明するための、換気システムを建造物に取り付けた状態の一例を示す図（図１（ａ））、換気システムの主要部の構成を示す斜視図（図１（ｂ））、および換気システムを水平に切断した断面図（図１（ｃ））である。
【００２４】
換気システム１は、換気扇１０、ダクト１１、及び臭気処理部１５を備える。
【００２５】
ダクト１１は、排気側ダクト部材１２、屋外側ダクト部材１３、及び分岐部１４を備える。
【００２６】
換気扇１０は、建造物１００の屋内の空気を外部に排出するために設けられている。換気扇は、軸流ファンや、遠心ファン等、どのような構造のものであっても良い。ここでは、建造物１００が戸建て住宅である場合を例に挙げて説明しているが、建造物１００は、例えば、集合住宅、オフィスビル、商業施設、校舎等、どのような建造物であっても良い。建造物は、例えば、建築物である。
【００２７】
ダクト１１は、分岐構造１１ａを有しており、換気扇１０の排気側１０ａと、建造物１００の屋外開口部１０１と、建造物１００の屋内開口部１０２とに連結されている。ダクト１１は、通気用の管である。ダクト１１は、開口している第一の端部１７において、屋外開口部１０１と接続され、開口している第二の端部１８において、屋内開口部１０２と接続されている。ダクト１１の材質や太さ、断面形状等は問わない。ダクト１１の太さは、ダクト１１の各部において均等な太さであっても良いし、各部において異なる太さであってもよい。ここでの連結は、通気が可能となるように接続することと考えても良い。ダクト１１と、換気扇１０の排気側１０ａと、屋外開口部１０１と、屋内開口部１０２との連結手段等は問わない。
【００２８】
屋外開口部１０１は、建造物１００の屋外に対して開口している建造物１００が有する開口部である。例えば、屋外開口部１０１は、屋外の外壁等に設けられた開口部である。屋外開口部１０１には、例えば、風向を調整するためのフィンや、異物等の出入りを防ぐためのネットや網等が取り付けられていても良い。
【００２９】
屋内開口部１０２は、建造物１００の屋内に対して開口している建造物１００が有する開口部である。屋内とは、建造物の内部である。屋内は、例えば、部屋や廊下等の、壁やドアやパーテーション等で区切られたエリアである。屋内開口部１０２を有する屋内は、換気扇１０が設けられている部屋等のエリアと、同じエリアであっても良く、異なるエリアであっても良い。屋内開口部１０２には、補強のための枠が設けられていても良い。ここでの屋内とは、例えば、室内である。屋内開口部１０２は、例えば、風向を調整するためのフィンや、異物等の出入りを防ぐためのネットや網等が取り付けられていても良い。
【００３０】
ダクト１１の分岐構造１１ａは、換気扇１０と接続された経路を、屋外開口部１０１と接続された経路と、屋内開口部１０２と接続された経路との２方向に分岐する構造を有している。分岐構造１１ａは、例えば、Ｔ字型に分岐している。
【００３１】
排気側ダクト部材１２は、換気扇１０の排気側１０ａと分岐部１４とに連結されたダクト部材である。
【００３２】
屋外側ダクト部材１３は、屋外開口部１０１と分岐部１４とに連結されたダクト部材である。
【００３３】
分岐部１４は、分岐構造１１ａを有するダクト部材である。分岐部１４は、排気側ダクト部材１２と、屋外側ダクト部材１３と、屋内開口部１０２とに連結されている。ここでは、分岐部１４が、第二の端部１８に加えて、更に、開口している二つの端部１４ａ、１４ｂを有している場合の例について説明する。分岐部１４は、第二の端部１８が屋内開口部１０２に連結されている。分岐部１４は、端部１４ａが、排気側ダクト部材１２の、換気扇１０の排気側１０ａと接続された端部とは異なる端部と連結されている。また、分岐部１４は、端部１４ｂが、屋外側ダクト部材１３の、屋外開口部１０１と接続された第一端部１７とは異なる端部と連結されている。
【００３４】
なお、ここでは、分岐部１４が屋内開口部１０２と直接連結されている場合を例に挙げて説明しているが、分岐部１４が図示しないダクト部材を介して屋内開口部１０２と接続されている場合も、分岐部１４が屋内開口部１０２と連結されていると考えても良い。例えば、屋内開口部１０２と連結されたダクト部材が、分岐部１４と連結されているようにしても良い。このような場合、この屋内開口部１０２と連結されたダクト部材も、ダクト１１の一部と考えても良い。なお、分岐部１４と屋内開口部１０２との直接の連結は、分岐部１４の屋内開口部１０２への取り付けと考えても良い。
【００３５】
分岐部１４と、排気側ダクト部材１２、屋外側ダクト部材１３、及び屋内開口部１０２との連結手段等は問わない。例えば、ボトルやネジ等で連結されても良いし、溶接等で連結されても良い。また、接着剤やコーキング剤等で連結してもよい。また、これらの２以上を組み合わせて連結しても良い。
【００３６】
臭気処理部１５は、分岐部１４の屋内開口部１０２側に設けられており、換気扇１０から排出される空気の処理を行う。臭気処理部１５は、例えば、分岐部１４の、換気扇１０の排気側１０ａと接続されている経路から分岐している位置と、屋内開口部１０２との間に設けられている。なお、屋内開口部１０２を塞ぐように、あるいは被うように臭気処理部１５が設けられている場合も、分岐部１４の屋内開口部１０２側に臭気処理部１５が設けられていると考えても良い。
【００３７】
空気の臭気とは、例えば、空気中の臭いであり、通常は、人間等にとって不快な臭いである。臭気は、例えば、悪臭や、異臭である。
【００３８】
臭気処理部１５が行う空気の臭気の処理とは、例えば、空気の脱臭処理である。脱臭処理とは、例えば、臭気を物理的作用等で除去又は緩和する処理である。脱臭処理は、例えば、臭気を吸着剤等で吸着して除去する処理である。例えば、臭気処理部１５は、複数の備長炭のチップ（以下、備長炭チップと称す）を備え、この備長炭チップで臭気を吸着することで、空気の脱臭処理を行う。
【００３９】
図２は、複数の備長炭チップを備えた臭気処理部１５の例を示す図である。図２（ａ）は、複数の備長炭チップを備えた臭気処理部１５の例を示す一部切り欠き斜視図、図２（ｂ）は、図２（ａ）の臭気処理部１５内に詰められている備長炭チップ入りの袋を示す図、図２（ｃ）は、図２（ｂ）に示した袋に詰められている備長炭チップの例を示す図である。また、図２（ｄ）は、複数の備長炭チップを備えた臭気処理部１５の第二の例を示す一部切り欠き斜視図である。
【００４０】
例えば、複数の備長炭チップを備えた臭気処理部１５は、図２（ａ）に示すようなフィルタ１５ａである。このフィルタ１５ａは、臭いの成分を吸着して脱臭する備長炭の持つ機能を利用して、空気の臭いを脱臭するものである。
【００４１】
図２（ａ）に示すフィルタ１５ａは、枠体１５２の両面を網１５１で挟みこんだ平板状の部材内に、図２（ｂ）に示すような複数の備長炭チップ１５４を詰めた袋１５３を、１以上、好ましくは２以上配置したものである。
【００４２】
網１５１や枠体１５２の材質は問わない。例えば、これらの材質はステンレス等の金属や、樹脂等である。フィルタ１５ａは、例えば、分岐部１４の屋内開口部１０２側の内部に、網１５１が配置されている面が、通気方向（例えば、ダクトの伸びる方向）に対して垂直となるように配置される。この枠体１５２は、分岐部１４内部の、このフィルタ１５ａが配置される位置にはめ込み可能なサイズや形状を有していることが好ましい。この網１５１は、通気性を確保しつつ１または２以上の袋１５３を枠体１５２に保持するために設けられたものであり、網の代わりに、パンチングされたプレートや、格子や、桟を設けるようにしても良い。なお、枠体１５２も網１５１と同様の網で構成されていても良い。
【００４３】
袋１５３の素材は、例えば、通気性の良い素材、例えばメッシュ素材等が好ましい。また、メッシュ等の素材である場合、その目の粗さは、内部に詰めた備長炭チップ１５４が抜け落ちないサイズであることが好ましく、好ましくは、備長炭チップが粉砕されること等により発生する備長炭の粉末等がこぼれにくいサイズであることが好ましい。複数の袋１５３に分けた備長炭チップ１５４を枠体内に配置することで、備長炭チップ１５４が枠体１５２内の一箇所（例えば、下方等）に片寄って存在することを防ぐことができる。なお、袋１５３の代わりに、通気性の良い素材で構成された１以上の容器等（図示せず）を用いても良い。
【００４４】
図２（ｃ）に示したような、袋１５３に詰められる備長炭チップ１５４のサイズは、５ｍｍ以上１０ｍｍ以下であることが好ましい。ここでのサイズは、例えば、備長炭チップの最も幅の広い部分の長さである。このサイズの備長炭チップ１５４を用いることで、例えば、備長炭の表面積を大きくして、換気扇１０から排気される空気が臭気処理部１５の備長炭チップ１５４に接触しやすくすることができ、効率良く空気の脱臭が可能となる。また、備長炭チップ１５４が、通気性の良い素材の袋１５３からこぼれ落ちて、空気とともに屋内に排出されることを防ぐことできる。なお、備長炭チップとして、化学吸着を促進させるために塩基性ガスや酸性ガス等の添着剤等を用いて表面を処理した備長炭チップを用いるようにしても良い。なお、備長炭チップの代わりに、活性炭を用いても良い。
【００４５】
フィルタ１５ａを通過する空気の多くが、備長炭チップ１５４に接触しやすくなるように、袋１５３には、備長炭チップ１５４を、空きスペースがなくなるよう詰め込むことが好ましい。同様に、枠体１５２内には、複数の袋１５３を空きスペースがなくなる程度の数だけ配置することが好ましい。
【００４６】
なお、上記のフィルタ１５ａの代わりに、枠体１５２を、備長炭チップ１５４よりも目の細かい網（図示せず）で挟み込んだ平板状の部材内に、備長炭チップ１５４を詰めたフィルタを用いても良い。ここでの目の細かい網は、例えば、網の目のサイズが、備長炭チップ１５４が抜け落ちない程度のサイズ、例えば、備長炭チップ１５４のサイズよりも小さい網である。
【００４７】
また、複数の備長炭チップを備えた臭気処理部１５は、例えば、図２（ｄ）に示すようなフィルタ１５ｂでもよい。フィルタ１５ｂは、シート状やマット等の２以上の不織布１５５の間に、上記と同様の複数の備長炭チップ１５４を敷き詰めてはさみ込んだフィルタ１５ｂである。ここでは、三枚重ねた不織布１５５のそれぞれの間に、複数の備長炭チップ１５４をはさみ込んだものである。重ねた不織布１５５は、例えば、備長炭チップ１５４とともに、接着剤等で張り合わされる。フィルタ１５ｂは、例えば、フィルタ１５ｂと同様に、分岐部１４の屋内開口部１０２側の内部に、重ね合わされた面が、通気方向（例えば、ダクトの伸びる方向）に対して垂直となるように配置される。このフィルタ１５ｂは、分岐部１４内部の、このフィルタ１５ｂが配置される位置にはめ込み可能なサイズや形状を有していることが好ましい。フィルタ１５ｂは、縁部が、枠体１５２と同様の枠体により囲われていても良い。なお、不織布１５５の代わりに、他の通気性を有する材料（例えば、スポンジ等）で構成されたシートやマットを用いても良い。
【００４８】
なお、上記で挙げた備長炭チップを備えた臭気処理部１５は一例であり、臭気処理部１５は、複数の備長炭のチップをどのように備えていても良い。ただし、複数の備長炭は、分岐部１４を経て屋内開口部１０２に供給される空気に効率良く接触するように配置されていることが好ましい。例えば、臭気処理部１５は、製造工程で備長炭チップを混ぜ込んだ不織布であっても良い。
【００４９】
なお、ここでは、脱臭処理を行う臭気処理部１５として、備長炭チップを用いたものについて説明したが、臭気処理部１５として、他の脱臭機能を有するフィルタ等を用いるようにしても良い。例えば、備長炭チップの代わりに、シリカゲルを用いたフィルタ等を用いても良い。
【００５０】
また、臭気処理部１５が行う空気の臭気の処理とは、例えば、空気の加香処理である。加香処理とは、空気に対して香りを添加する処理である。加香処理を行うことで、不快な臭いをマスキングして、ユーザに不快な臭いを感じさせないようにすることができる。加香処理を行う臭気処理部１５は、例えば、液体やゲル等の芳香剤と、この芳香剤が保持される容器とで構成される。
【００５１】
また、臭気処理部１５が行う空気の臭気の処理は、例えば、消臭処理である。消臭処理とは、臭気を、化学的な作用で除去または緩和させるものである。例えば、臭気成分を、消臭剤や、触媒等を用いて、中和反応させたり、酸化反応させることで、無臭の成分に変化させる処理である。例えば、消臭処理を行う臭気処理部１５として、光触媒、例えば二酸化チタンをコーティングしたセラミックフィルタ等のフィルタが利用可能である。また、金属イオンを付着させたフィルタ等を臭気処理部１５として用いても良い。
【００５２】
なお、臭気処理部１５は、上記の脱臭処理、加香処理、及び消臭処理のうちの２以上の処理を行うものであっても良いことはいうまでもない。
【００５３】
また、臭気処理部１５は、分岐部１４に対して着脱可能なものであることが好ましい。
【００５４】
次に、換気システム１の動作について説明する。換気扇１０が作動すると、建造物１００の換気扇１０が取り付けられた屋内の空気が換気扇１０の排気側１０ａからダクト１１内に排気される。
【００５５】
ダクト１１内に排気された空気は、換気扇１０側から分岐構造１１ａ側に向かって送風され、分岐構造により分割される。分割された空気は、ダクト１１の屋外開口部１０１に向かう経路と、分岐部１４の屋内開口部１０２に向かう経路とにそれぞれ送風される。
【００５６】
屋外開口部１０１に向かう経路に送風された空気は、そのまま、屋外開口部１０１から屋外に排出される。
【００５７】
屋内開口部１０２に向かい経路に送風された空気は、分岐部１４の屋内開口部１０２側に設けられた臭気処理部１５により臭気が処理される。例えば、臭気処理部１５が、備長炭チップを備えたものである場合、この備長炭チップにより分岐構造１１ａで分割された空気中の臭気を吸着することで、脱臭処理が行われる。そして、脱臭処理された空気が屋内開口部１０２から建造物１００の屋内に排出される。
【００５８】
これにより、換気扇１０により屋内から排気された空気のうちの、分岐構造１１ａで分割された空気が、臭気の処理後に、再度、屋内に供給される。これにより、換気扇１０により、換気に不要な量の空気が屋内から屋外に排気されることを防いて、不必要な量の換気が行われないようにすることができ、屋内から排気される空気を有効利用することができる。また、屋内に、再度供給される空気については、臭気が処理されることにより、不快な臭い等が低減されるため、一旦排気された空気が、屋内に再供給されることに対する不快感を与えないようにすることができる。
【００５９】
ここで、例えば、屋内の空気の換気に関しては、換気設備により入れ替えが必要な換気回数が、法律等により予め定められている場合がある。例えば、建築基準法令においては、住宅の居室については、換気回数０．５回／ｈ（１時間当たり０．５回）以上の換気設備を設置することが義務づけられている。部屋の空気を１回換気する際に必要となる空気の排出量は、部屋の容量によって決定されることから、このことは、屋内の空気を換気するために屋内からの排出が必要な空気の量（換気量：ｍ３／ｈ）が決められていることを示している。
【００６０】
従って、本実施の形態の換気システム１においては、分岐構造１１ａから屋内開口部１０２を経て屋内に供給される空気の量を、屋内の空気を換気するために屋内からの排出が必要な空気の量に対する、換気扇１０から排出される空気の量の余剰分となるように予め設定することが好ましい。このように設定することで、法律等で定められた換気量を保ちつつ、換気する必要のない量の空気を、屋外に排出せずに、屋内に、再度供給することが可能となる。これにより、屋内から排気される空気のうちの、適切な量の空気を有効利用することができる。
【００６１】
分岐構造１１ａから屋内開口部１０２を経て屋内に供給される空気の量の調整は、例えば、ダクト１１の太さ、例えば、分岐部１４の分岐箇所から屋内開口部１０２に向かう経路の管の太さを調整することで、屋内開口部１０２に向かって流れる空気の量を調整することが可能である。
【００６２】
なお、分岐部１４は、分岐構造１１ａにおいて分岐して屋内開口部１０２に向かって流れる空気の流量を調整するための調整手段を有していても良い。
【００６３】
図３は、調整手段を有する分岐部を説明するための図であり、調整手段としてフラップを有する分岐部を備えた排気システムの第一の変形例の断面図（図３（ａ））、及び調整手段としてスライド式のドアを有する分岐部を備えた排気システムの第二の変形例の断面図（図３（ｂ））である。
【００６４】
分岐部１４は、図３（ａ）に示すように、内部の分岐箇所に回動可能に取り付けられたフラップ３００を有していてもよい。このフラップ３００の角度を変更することで、屋内開口部１０２側に流れる空気の量と、屋外開口部１０１側に流れる空気の量とを調整することが可能となる。なお、フラップ３００は所望の角度に調整後は、角度が変わらないよう固定できるようにすることが好ましい。
【００６５】
また、分岐部１４は、図３（ｂ）に示すように、内部の分岐箇所の、屋内開口部１０２に向かって開口している部分に、スライド式の蓋３０１を有していてもよい。この蓋の開いている量を調整することで、屋内開口部１０２側に流れる空気の量を調整することができる。このスライド式の蓋３０１は、例えば、閉じた状態で、屋内開口部１０２に向かって開口している部分を塞ぐことができるサイズであることが、風量の調整幅を広く確保できるうえで好ましい。ここでは、一例として、２段スライド式の蓋３０１を用いた場合を示しているが、この蓋３０１の段数等は問わない。
【００６６】
なお、スライド式の蓋３０１の代わりに、屋内開口部１０２側、その反対側に向かって開く蓋を設けるようにしても良い。
【００６７】
このような調整手段を設けることにより、容易に屋内開口部１０２から供給される空気の量を調整することが可能となる。
【００６８】
なお、本実施の形態において、図１（ｂ）に示すような、分岐部１４と、臭気処理部１５との組合せを、ここでは、換気ユニット１６と呼ぶ。このような換気ユニット１６を、例えば、換気扇１０の排気側１０ａと、屋外開口部１０１とを連結したダクト間に挿入する（例えば、ダクトの一部を取り外して、換気ユニット１６で置き換える）ことで、換気システム１を得ることが可能となる。このような換気ユニット１６を用いることで、例えば、既存の換気システムから、容易に上記の実施の形態と同様の換気システムを得ることができる。
【００６９】
以上、本実施の形態によれば、換気扇１０で排気された屋内の空気を、ダクト１１の分岐構造１１ａにより分割して、屋内に再度供給するようにしたことにより、換気時に排出が不要な空気が、屋内から屋外に排出されないようにして、屋内から排気される空気を有効利用することができる。
【００７０】
また、換気扇１０で排気された屋内の空気のうちの、屋内に再度供給される空気に対して臭いを処理するようにしたことにより、不快感のない空気を屋内に供給することができる。
【００７１】
なお、ここでは、ダクト１１が、排気側ダクト部材１２、屋外側ダクト部材１３、及び分岐部１４で構成されている場合について説明したが、ダクト１１は、排気側ダクト部材１２、屋外側ダクト部材１３、及び分岐部１４を一体化したものであってもよい。あるいは、ダクト１１は、排気側ダクト部材１２、屋外側ダクト部材１３、及び分岐部１４のそれぞれを更に複数の部材に分割したものを結合したものであっても良い。
【００７２】
また、本発明においては、分岐構造１１ａが、換気扇１０と接続された経路を、屋外開口部１０１と接続された経路と、屋内開口部１０２と接続された経路との２方向に分岐する構造である場合を示しているが、分岐構造１１ａは、１または２以上の換気扇１０と接続された１または２以上の経路を、１以上の屋外開口部１０１と接続された経路と、１以上の屋内開口部１０２と接続された経路とを含む２以上の経路に分岐する構造であっても良い。かかる構成により、例えば、複数の部屋からは換気扇１０により排気された空気の一部を、屋外に排出せずに、複数の部屋に送風することができ、複数の部屋から排気される空気を有効利用することができる。
【００７３】
本発明は、以上の実施の形態に限定されることなく、種々の変更が可能であり、それらも本発明の範囲内に包含されるものであることは言うまでもない。
【産業上の利用可能性】
【００７４】
以上のように、本発明にかかる換気システム等は、建造物の換気システムとして適しており、特に、換気扇とダクトとを利用した換気システム等として有用である。
【符号の説明】
【００７５】
１  換気システム
１０  換気扇
１０ａ  排気側
１１  ダクト
１１ａ  分岐構造
１２  排気側ダクト部材
１３  屋外側ダクト部材
１４  分岐部
１５  臭気処理部
１６  換気ユニット
１００  建造物
１０１  屋外開口部
１０２  屋内開口部
【図１】
2015001333.tif 000003
【図２】
2015001333.tif 000004
【図３】
2015001333.tif 000005